(57)【要約】【課題】商用電源の瞬時停電時のメモリーの動作停止に起因する誤動作を防止する。【解決手段】電源装置８０は、商用交流電圧を整流及び平滑化して直流電圧を生成する電源部８１と、商用交流電圧のゼロクロスの時間を計測するゼロクロス時間計測部８２と、各種デバイスへの直流電圧の供給の有無を制御する電源制御部８３とを備える。電源制御部８３は、ゼロクロス時間が閾値を超えたとき、各種デバイスのうちメモリーにのみ直流電圧を供給し、動作電圧が比較的高いその他のデバイスへの直流電圧の供給を停止する。【選択図】図２
2016099890.tif 000002
【特許請求の範囲】
【請求項１】
商用交流電圧を整流及び平滑化して直流電圧を生成する電源部と、
前記商用交流電圧について、予め定められたゼロクロス時間を計測するゼロクロス時間計測部と、
予め定められた複数のデバイスへの前記電源部からの直流電圧の供給の有無を制御する電源制御部であって、前記ゼロクロス時間が閾値を超えたとき、前記複数のデバイスのうち予め定められた保護デバイスにのみ前記直流電圧を供給し、他のデバイスへの前記直流電圧の供給を停止する電源制御部とを備えた電源装置。
【請求項２】
前記保護デバイスがメモリーである請求項１に記載の電源装置。
【請求項３】
前記閾値が前記商用交流電圧の実効値及び周波数に応じて設定される請求項１又は請求項２に記載の電源装置。
【請求項４】
前記電源制御部は、前記他のデバイスへの前記直流電圧の供給を停止した後に前記ゼロクロス時間が平常値に戻ったとき、前記他のデバイスへの前記直流電圧の供給を再開する請求項１乃至請求項３のいずれかに記載の電源装置。
【請求項５】
請求項１乃至請求項４のいずれかに記載の電源装置と、
記録媒体に対して画像形成を行う画像形成部と、
前記電源装置によって生成された直流電圧を受けて動作する前記予め定められた複数のデバイスとを備えた画像形成装置。
【発明の詳細な説明】
【技術分野】
【０００１】
本発明は、電源装置及び画像形成装置に関し、特に、商用電源の瞬時停電によるデバイスの誤動作を防止する技術に関する。
【背景技術】
【０００２】
画像形成装置等の電子機器は、商用電源の供給を受けて動作している。例えば画像形成装置では、供給された商用交流電圧を整流及び平滑化して様々な直流電圧を生成し、それをコントローラー基板に実装された各種部品に供給して動作している。このため、商用電源に瞬時停電が発生すると、生成される直流電圧がドロップして画像形成装置内の各動作機構が誤動作を起こすおそれがある。特に発展途上国では商用電源が不安定なことが多いため、瞬時停電がたびたび発生する。従って、発展途上国向けに画像形成装置を開発するに当たって、瞬時停電対策を講じることが重要である。
【０００３】
例えば、下記特許文献１には、遊技機の電源装置における瞬時停電対策の技術が開示されている。
【先行技術文献】
【特許文献】
【０００４】
【特許文献１】特開２００１−２１８８９６号公報
【発明の概要】
【発明が解決しようとする課題】
【０００５】
画像形成装置のコントローラー基板には動作電圧が異なる様々な部品が実装されている。例えば、メモリーは３．３Ｖで動作するが、ＡＳＩＣ（Application Specific Integrated Circuit）はそれよりも低い０．９Ｖで動作する仕様とされている。商用電源の瞬時停電によって直流電圧が０Ｖ近くにまでドロップすると、上記ＡＳＩＣ等を含めコントローラー基板に実装された部品はすべて動作を停止して画像形成装置はダウンする。しかし、例えば、直流電圧が０．９Ｖから３．３Ｖの範囲内でドロップすると、メモリーは動作しなくなるがＡＳＩＣは動作するといった事態が生じる。この場合、ＡＳＩＣは動作を続けてメモリーからデータを読み出そうとするが、メモリーが停止しているため、ＡＳＩＣはメモリーから正しいデータを読み出せずに誤動作を起こしてしまうおそれがある。
【０００６】
本発明は、上記の問題を解決するためになされたもので、商用電源の瞬時停電時における例えばメモリー等のデバイスの動作停止に起因して発生する誤動作を防止することを目的とする。
【課題を解決するための手段】
【０００７】
本発明の一局面に係る電源装置は、商用交流電圧を整流及び平滑化して直流電圧を生成する電源部と、
前記商用交流電圧について、予め定められたゼロクロス時間を計測するゼロクロス時間計測部と、
予め定められた複数のデバイスへの前記電源部からの直流電圧の供給の有無を制御する電源制御部であって、前記ゼロクロス時間が閾値を超えたとき、前記複数のデバイスのうち予め定められた保護デバイスにのみ前記直流電圧を供給し、他のデバイスへの前記直流電圧の供給を停止する電源制御部とを備えたものである。
【発明の効果】
【０００８】
本発明によれば、商用電源の瞬時停電によって直流電圧がドロップ（電圧降下）して、比較的高い電圧で駆動される予め定められた保護デバイス、例えばメモリー等の動作電圧を下回る蓋然性が高い場合には、同様に動作電圧が比較的高い他のデバイスへの直流電圧の供給が停止され、メモリーにのみ直流電圧が供給される。これにより、直流電圧が保護デバイスの規定動作電圧以下にドロップするのを可及的に回避して、商用電源の瞬時停電時において保護デバイスの動作停止に起因する誤動作を防止することができる。
【図面の簡単な説明】
【０００９】
【図１】本発明の一実施形態に係る電源装置を備えた画像形成装置の構造を示す正面断面図である。
【図２】画像形成装置の主要内部構成を示す機能ブロック図である。
【図３】一例に係るゼロクロス時間計測部の回路構成図である。
【図４】整流後電流の波形及びゼロクロス検出信号の例を示すグラフである。
【図５】（Ａ）（Ｂ）（Ｃ）は時間経過に伴う電源部から出力される直流電圧の変化を示す図である。
【図６】画像形成装置における瞬時停電検出時の処理を示すフローチャートである。
【発明を実施するための形態】
【００１０】
以下、本発明の一実施形態に係る電源装置及びこれを備えた画像形成装置について図面を参照して説明する。図１は、本発明の一実施形態に係る画像形成装置の構造を示す正面断面図である。
【００１１】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１２】
操作部４７は、画像形成装置１が実行可能な各種動作及び処理について操作者から画像形成動作実行指示や原稿読取動作実行指示等の指示を受け付ける。操作部４７は、表示部４７３を備える。表示部４７３は、タッチパネル機能を有するＬＣＤ（Liquid Crystal Display）で構成されている。
【００１３】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１４】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される記録媒体としての用紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１５】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた用紙Ｐに転写させる。この後、定着部１３が、用紙Ｐ上のトナー像を、熱圧着により用紙Ｐに定着させる。定着処理の完了したカラー画像形成済みの用紙Ｐは、排出トレイ１５１に排出される。
【００１６】
なお、画像形成装置１において、両面印刷を行う場合は、画像形成部１２より一方の面に画像が形成された用紙Ｐを、排出ローラー対１５９にニップされた状態とした後、当該用紙Ｐを排出ローラー対１５９によりスイッチバックさせて反転搬送路１９５に送り、搬送ローラー対１９により、上記ニップ部Ｎ及び定着部１３に対して用紙Ｐの搬送方向上流域に再度搬送する。これにより、画像形成部１２により当該用紙の他方の面に画像が形成される。
【００１７】
次に、画像形成装置１の構成を説明する。図２は画像形成装置１の主要内部構成を示す機能ブロック図である。画像形成装置１は、制御ユニット（コントローラー基板）１０、操作部４７、原稿給送部６、原稿読取部５、画像形成部１２、画像処理部３１、画像メモリー３２、駆動モーター７０、ファクシミリ通信部７１、ＵＳＢポート７２、電源ユニット８０、ネットワークインターフェース部９１、及びＨＤＤ９２等を備える。
【００１８】
制御ユニット１０は、ＣＰＵ(Central Processing Unit)、ＲＡＭ、ＲＯＭ及び専用のハードウェア回路等から構成され、画像形成装置１の全体的な動作制御を司る。具体的には、制御ユニット１０は、ＣＰＵ（ＡＳＩＣ）１０１、及びメモリー１０２等を備える。
【００１９】
ＣＰＵ１０１は、操作部４７、原稿給送部６、原稿読取部５、画像処理部３１、画像メモリー３２、画像形成部１２、駆動モーター７０、ファクシミリ通信部７１、ＵＳＢポート７２、ネットワークインターフェース部９１、及びＨＤＤ９２等と接続され、これら各部の制御を行う。ＣＰＵ１０１は、ＵＳＢポート７２に挿入されるＵＳＢメモリーに対するホスト装置として機能する。
【００２０】
メモリー１０２は、ＣＰＵ１０１で実行中のプログラムや一時的な作業データを格納するメモリーである。すなわち、画像形成装置１の動作中にＣＰＵ１０１はメモリー１０２にアクセスして各種処理を行う。
【００２１】
原稿読取部５は、制御ユニット１０による制御の下、光照射部及びＣＣＤセンサー等を有する読取機構１６３（図１を参照）を備える。原稿読取部５は、光照射部により原稿を照射し、その反射光をＣＣＤセンサーで受光することにより、原稿から画像を読み取る。
【００２２】
画像処理部３１は、原稿読取部５で読み取られた画像の画像データを必要に応じて画像処理する。例えば、画像処理部３１は、原稿読取部５により読み取られた画像が画像形成部１２により画像形成された後の品質を向上させるために、シェーディング補正等の予め定められた画像処理を行う。
【００２３】
画像メモリー３２は、原稿読取部５による読取で得られた原稿画像のデータを一時的に記憶したり、画像形成部１２のプリント対象となるデータを一時的に保存する領域である。
【００２４】
画像形成部１２は、原稿読取部５で読み取られた印刷データ、ネットワーク接続されたコンピューター２００から受信した印刷データ等の画像形成を行う。
【００２５】
操作部４７は、画像形成装置１が実行可能な各種動作及び処理について操作者からの指示を受け付ける。操作部４７は、表示部４７３を備える。
【００２６】
表示部４７３は、操作画面、プレビュー画面、印刷ジョブ状況の確認画面等の各種表示をする。
【００２７】
駆動モーター７０は、画像形成部１２の各回転部材及び搬送ローラー対１９等に回転駆動力を付与する駆動源である。
【００２８】
ファクシミリ通信部７１は、図略の符号化／復号化部、変復調部及びＮＣＵ（Network Control Unit）を備え、公衆電話回線網を用いてのファクシミリの送信を行うものである。
【００２９】
ネットワークインターフェース部９１は、ＬＡＮボード等の通信モジュールから構成され、当該ネットワークインターフェース部９１に接続されたＬＡＮ等を介して、ローカルエリア内のコンピューター２００等と種々のデータの送受信を行う。
【００３０】
ＨＤＤ９２は、原稿読取部５によって読み取られた原稿画像等を記憶する大容量の記憶装置である。
【００３１】
電源ユニット８０は、制御ユニット１０、操作部４７、原稿給送部６、原稿読取部５、画像処理部３１、画像メモリー３２、画像形成部１２、駆動モーター７０、ファクシミリ通信部７１、ＵＳＢポート７２、ネットワークインターフェース部９１、及びＨＤＤ９２等に駆動電圧を供給する電源装置である。電源ユニット８０は、電源部８１、ゼロクロス時間計測部８２、及び電源ＩＣ８３等を備える。
【００３２】
電源部８１は、商用電源３００から商用交流電圧を受け、それを整流及び平滑化して直流電圧を生成する。電源部８１によって生成された直流電圧は制御ユニット１０（コントローラー基板）に実装された部品や、その他の部品に供給される。
【００３３】
ゼロクロス時間計測部８２は、商用電源３００から供給される商用交流電圧について後述するゼロクロス時間を計測する。
【００３４】
図３は、一例に係るゼロクロス時間計測部８２の回路構成図である。ゼロクロス時間計測部８２は、商用電源３００から供給される商用交流電圧を整流するブリッジ整流回路８２１と、整流後の電流によってスイッチング動作するフォトカプラー８２２と、フォトカプラー８２２のコレクター出力の反転信号（ゼロクロス検出信号）が入力されるカウンターＩＣ８２３とを備える。フォトカプラー８２２とカウンターＩＣ８２３との間には、ＮＯＴ回路８２５が接続されている。
【００３５】
図３に示した回路構成によると、フォトカプラー８２２に整流後の電流が流れている間はフォトカプラー８２２がオン状態であり（すなわち、カウンターＩＣ８２３に電圧を出力する）、整流後の電流がゼロ近傍になるとフォトカプラー８２２がオフする（すなわち、カウンターＩＣ８２３に上記電圧が出力されない）。従って、上記ＮＯＴ回路８２５により、フォトカプラー８２２からカウンターＩＣ８２３には、整流された商用交流電圧のゼロクロス時には、Ｈ（Ｈｉｇｈ）レベルの電圧、すなわち、ゼロクロス検出信号が出力され、それ以外の期間はＬ（ＬＯＷ）レベルの電圧が出力される（すなわち、ゼロクロス検出信号が出力されない）。
【００３６】
カウンターＩＣ８２３は、上記入力されるゼロクロス検出信号をカウントする。さらに、カウンターＩＣ８２３には、図略のクロック信号が入力されており、このクロック信号に基づいて、カウンターＩＣ８２３は、１以上の予め定められた個数のゼロクロス検出信号がカウントされる所要時間（例えば、ゼロクロス検出信号３つの場合は後述する図４に示すＴ）を計測する。以下、当該所要時間をゼロクロス時間という。
【００３７】
図４は、整流後電圧の波形及びゼロクロス検出信号の例を示すグラフである。図４に示す整流後の電圧は、ゼロクロス時間計測部８２におけるブリッジ整流回路８２１（図３）の出力電圧である。図５（Ａ）（Ｂ）（Ｃ）は、時間経過に伴う電源部から出力される直流電圧の変化を示す図である。
【００３８】
商用電源３００が安定している期間においては、商用交流電圧のゼロクロスは周期的に発生し、また、ゼロクロス検出信号がＨレベルになる時間も短い。一方、瞬時停電が発生すると、ゼロクロス検出信号は長期間Ｈレベルとなる。
【００３９】
再び図２を参照して説明する。電源ＩＣ８３は、制御ユニット１０、操作部４７、原稿給送部６、原稿読取部５、画像処理部３１、画像メモリー３２、画像形成部１２、駆動モーター７０、ファクシミリ通信部７１、ＵＳＢポート７２、ネットワークインターフェース部９１、及びＨＤＤ９２等の各種デバイスへの上記直流電圧の供給及び非供給を制御する電源制御部である。
【００４０】
商用電源３００に瞬時停電が発生すると、例えば図５（Ａ）に示すように、電源部８１が生成する直流電圧がドロップ（降下）する。例えば、ＣＰＵ１０１の規定動作電圧が０．９Ｖ、メモリー１０２の規定動作電圧が比較的高い電圧である３．３Ｖの場合、直流電圧がドロップしても３．３Ｖ以上が確保されれば、ＣＰＵ１０１及びメモリー１０２は動作を続けることができ、画像形成装置１は正常に動作する。ここでは、ＣＰＵ１０１の規定動作電圧を例にして説明しているが、これを、ＡＳＩＣの規定動作電圧としてもよい。
【００４１】
また、図５（Ｃ）に示すように、直流電圧がドロップして０．９Ｖ以下になると、ＣＰＵ１０１もメモリー１０２も動作できなくなり、画像形成装置１は自動的に再起動される。
【００４２】
一方、図５（Ｂ）に示すように、直流電圧が０．９Ｖから３．３Ｖの範囲内でドロップすると、メモリー１０２は動作しなくなるが、ＣＰＵ１０１は動作するといった事態が生じ、ＣＰＵ１０１はメモリー１０２から正しいデータを読み出せずに誤動作を起こしてしまうおそれがある。
【００４３】
なお、図５（Ｃ）に示したように、直流電圧がドロップして０．９Ｖ以下になった場合、ＣＰＵ１０１もメモリー１０２も動作できなくなり、画像形成装置１は自動的に再起動されるため、メモリー１０２が動作せずＣＰＵ１０１は動作するといった事態は生じないので、図５（Ｂ）に示した場合のような誤動作は生じない。
【００４４】
商用交流電圧のゼロクロス時間と電源部８１が生成する直流電圧のドロップとは相関している。そこで、カウンターＩＣ８２３（図３）は、商用交流電圧のゼロクロス時間が閾値（この実施形態では、例えば６０ｋＨｚの周波数でゼロクロスポイントをカウンターＩＣ８２３により３つカウントするのに有する時間として予め定められた値を閾値とする）を超えたことを検知すると、すなわち、カウンターＩＣ８２３が閾値を超える時間を計測しても上記予め定められた数のゼロクロスを検知していないときは、直流電圧がメモリー１０２の規定動作電圧を下回るおそれがあるとして、電源ＩＣ８３に信号を出力する。
カウンターＩＣ８２３は、１以上の予め定められた個数のゼロクロス検出信号がカウントされる所要時間（例えば、ゼロクロス検出信号３つの場合は後述する図４に示すＴ）を計測する。以下、当該所要時間をゼロクロス時間という。
【００４５】
電源ＩＣ８３は、当該信号を受けると、メモリー１０２を、予め定められた保護デバイスとして、当該メモリー１０２にのみ直流電圧を供給し、ファクシミリ通信部７１やＵＳＢポート７２やネットワークインターフェース部９１等の動作電圧が比較的高いデバイス（これらデバイスは特許請求の範囲における他のデバイスの一例）として、直流電圧の供給を停止するように制御する。
【００４６】
これにより、ゼロクロスの時間が閾値を超える、すなわち、予め定められた数のゼロクロスが予定した時間内に到来しない、という状態を、直流電圧がメモリー１０２の規定動作電圧以下にドロップする蓋然性が高い状態と判断して、上記直流電圧を、保護デバイスとしてのメモリー１０２のみに供給することで、直流電圧がメモリー１０２の規定動作電圧以下にドロップするのを防ぐ。これにより、商用電源３００の瞬時停電時にメモリー１０２が動作停止する事態を防止し、メモリー１０２の動作停止に起因する、画像形成装置１の各機構における誤動作が防止される。
【００４７】
なお、図４に示した整流後電圧及びゼロクロスポイントは、画像形成装置１に用いられる商用電源３００の実効値（電圧）及び周波数に応じて変わり得る。例えば、商用電源３００が１００Ｖ５０Ｈｚの場合と２２０Ｖ５０Ｈｚの場合とでは、瞬時停電の時間が同じでも直流電圧のドロップは前者の方が大きい。このため、整流後電圧としての直流電圧から、保護デバイスとしての例えばメモリーの駆動電圧として生成される電圧が、必要な駆動電圧値を下回るまでに要する時間は、商用電源３００の実効値及び周波数に応じて異なる。このため、上記閾値は、商用交流電圧の実効値及び周波数に応じて設定されることが好ましい。例えば、電源ユニット８０に内蔵される図略の不揮発性メモリー等に様々な交流電圧及び周波数と閾値の組み合わせを有するテーブルを記憶しておき、画像形成装置１の初期設定時等に、製造者等による指示に基づいて、画像形成装置１に用いられる商用交流電圧の実効値及び周波数が制御ユニット１０に設定されると、ゼロクロス時間計測部８２により、当該テーブルから、設定された商用交流電圧の実効値及び周波数に対応する閾値が読み出され、当該読み出された閾値を、カウンターＩＣ８２３が用いる上記閾値として用いるようにしてもよい。
【００４８】
なお、瞬時停電が回復して商用電源３００から再び安定的に商用交流電圧が供給されるようになると、電源部８１が生成する直流電圧も元の値に戻る。この場合、メモリー１０２の正常動作を確保しつつ、ファクシミリ通信部７１やＵＳＢポート７２やネットワークインターフェース部９１等の動作電圧が比較的高いデバイスに直流電圧の供給を再開させることが可能となる。従って、カウンターＩＣ８２３は、瞬時停電が回復して、商用交流電圧のゼロクロスの時間が通常値に戻ったこと（すなわち、ゼロクロス時間が上記閾値以下になったこと）を検知すると、電源ＩＣ８３にリセット信号を出力する。電源ＩＣ８３は、当該リセット信号を受けて初期化され、ファクシミリ通信部７１やＵＳＢポート７２やネットワークインターフェース部９１等の動作電圧が比較的高い上記各デバイスへの直流電圧の供給を再開する。
【００４９】
次に、画像形成装置１における瞬時停電検出時の処理を説明する。図６は、画像形成装置１における瞬時停電検出時の処理を示すフローチャートである。
【００５０】
画像形成装置１が電源オンとされ、電源部８１は、商用電源３００から商用交流電圧を受け、それを整流及び平滑化して直流電圧を生成する。電源ＩＣ８３は、画像形成装置１の上述した各デバイスへの直流電圧の供給を開始する。
【００５１】
このとき、ゼロクロス時間計測部８２は、商用電源３００から供給される商用交流電圧の上記ゼロクロス時間を計測する（Ｓ１１）。ゼロクロス時間計測部８２が、計測したゼロクロスの時間が上記閾値以下、すなわち平常値であると判断した場合は（Ｓ１２でＮＯ）、瞬時停電は発生していないため、ゼロクロス時間計測部８２は、引き続き商用交流電圧のゼロクロス時間の計測を続ける（Ｓ１２でＮＯ，Ｓ１１）。
【００５２】
一方、ゼロクロス時間計測部８２は、計測したゼロクロスの時間が上記閾値を超える、すなわち平常値ではないと判断した場合は（Ｓ１２でＹＥＳ）、電源ＩＣ８３に信号を出力する。電源ＩＣ８３は、当該信号を受けると、メモリー１０２にのみ直流電圧を供給し、動作電圧が比較的高い上記他のデバイスへの直流電圧の供給を停止する（Ｓ１３）。
【００５３】
Ｓ１３の後、ゼロクロス時間計測部８２は、商用電源３００から供給される商用交流電圧のゼロクロス時間を更に計測する（Ｓ１４）。ゼロクロス時間計測部８２は、計測したゼロクロスの時間が上記閾値を超えている場合は（Ｓ１５でＹＥＳ）、すなわち、ゼロクロス時間が平常値に戻っていなければ、瞬時停電は回復していないため、ゼロクロス時間計測部８２は、引き続き商用交流電圧のゼロクロス時間を計測する（Ｓ１４）。
【００５４】
一方、ゼロクロス時間計測部８２が、計測したゼロクロスの時間が上記閾値以下であると判断した場合は（Ｓ１５でＮＯ）、瞬時停電は回復したとして、ゼロクロス時間計測部８２は、電源ＩＣ８３にリセット信号を出力する（Ｓ１６）。電源ＩＣ８３は、当該リセット信号を受けて、停止させていた上記他のデバイスへの直流電圧の供給を再開する（Ｓ１７）。
【００５５】
このように、本実施形態によれば、商用電源３００の瞬時停電によって直流電圧がドロップしてメモリー１０２の動作電圧を下回るおそれがある場合には、動作電圧が比較的高い上記他のデバイスへの直流電圧の供給が停止され、保護デバイスとしてのメモリー１０２にのみ直流電圧が供給される。これにより、直流電圧がメモリー１０２の規定の動作電圧以下にドロップするのを防いで、商用電源３００の瞬時停電時におけるメモリー１０２の動作停止に起因する画像形成装置１の誤動作を防止することができる。
【００５６】
なお、本発明は上記実施の形態の構成に限られず種々の変形が可能である。例えば、本発明に係る画像形成装置の一実施形態として複合機を用いて説明しているが、これは一例に過ぎず、プリンター等の他の画像形成装置でもよい。また、本発明に係る電源装置は、画像形成装置以外の電子機器一般に適用することが可能である。
【００５７】
また、図１乃至図６を用いて上記実施形態により示した構成及び処理は、本発明の一実施形態に過ぎず、本発明を当該構成及び処理に限定する趣旨ではない。
【符号の説明】
【００５８】
１        画像形成装置
８１      電源部
８２      ゼロクロス時間計測部
８３      電源ＩＣ（電源制御部）
１０２    メモリー
７１      ファクシミリ通信部（その他のデバイス）
７２      ＵＳＢポート（その他のデバイス）
９１      ネットワークインターフェース部（その他のデバイス）
８０      電源ユニット（電源装置）
【図１】
2016099890.tif 000003
【図２】
2016099890.tif 000004
【図３】
2016099890.tif 000005
【図４】
2016099890.tif 000006
【図５】
2016099890.tif 000007
【図６】
2016099890.tif 000008